(57)【特許請求の範囲】
【請求項１】
原稿の各頁でフォ−マットが異なるオリジナル画デ−タについて、複数のパラメ−タからなるフォ−マット情報を形成する手段と、前記各頁のオリジナル画デ−タのフォ−マット情報を各パラメ−タの水準が低い基本フォ−マット情報に変換する手段と、前記オリジナル画デ−タについて各頁を通して最も水準が高い各パラメ−タを抽出して、変更されたオリジナル画デ−タのフォ−マット情報を形成する手段と、前記基本フォ−マット情報および変更されたオリジナル画デ−タのフォ−マット情報を受信側に送信する手段とを有することを特徴とする、インタ−ネット・ファクス装置。
【請求項２】
前記変更されたオリジナル画デ−タのフォ−マット情報に基づいて、受信側から指定されるフォ−マット情報を受信する手段と、前記基本フォ−マット情報を受信側からの指定フォ−マット情報に変換する手段と、前記指定フォ−マット情報を受信側に送信する手段とを有することを特徴とする、請求項１に記載のインタ−ネット・ファクス装置。
【発明の詳細な説明】
【０００１】
【発明の属する技術分野】
本発明は、フォ−マットが異なる原稿の複数頁のオリジナル画デ−タについて、フォ−マット情報を作成する際の処理を簡略に行なえるインタ−ネット・ファクス装置に関するものである。
【０００２】
【従来の技術】
ファクシミリ通信において、国際電信電話連合（ＩｎｔｅｒｎａｔｉｏｎａｌＴｅｌｅｃｏｍｍｕｎｉｃａｔｉｏｎ  Ｕｎｉｏｎ、ＩＴＵと略記する）の有線系標準化（Ｔ）の勧告（ＩＴＵ−Ｔの勧告）Ｔ．３０により、グル−プ３（Ｇ３）ファクシミリ伝送手順によるファクシミリ通信手順が規定されている（以下、Ｇ３ファクシミリ伝送手順によるファクシミリ通信を行なうファクス装置を、明細書および図面ではＧ３ＦＡＸと略記する。）。
【０００３】
また最近のインタ−ネットの普及に伴い、ファクス装置をインタ−ネットに接続して（以下、インタ−ネットに接続したファクス装置を、明細書および図面ではＩ−ＦＡＸと略記する。）、他のＩ−ＦＡＸのような通信端末装置と電子メ−ルの送受信を行なうことも可能である。
【０００４】
このような場合には、電子メ−ルプロトコルの一つであるＳＭＴＰ（Ｓｉｍｐｌｅ  Ｍａｉｌ  Ｔｒａｎｓｆｅｒ  Ｐｒｏｔｏｃｏｌ）を利用したファクシミリ通信プロトコルであるＴ．３７による通信手順で、ファクシミリ通信を行なう。この際に、画デ−タは、電子メ−ルの添付ファイルとして送信される。また、着信した電子メ−ルの確認、取り出し、削除などの管理には、ＰＯＰ（Ｐｏｓｔ
Ｏｆｆｉｃｅ  Ｐｒｏｔｏｃｏｌ）を利用することもできる。
【０００５】
更に、Ｉ−ＦＡＸは、インタ−ネットを介してクライアントパ−ソナルコンピュ−タ（ＰＣ）と電子メ−ルの送受信を行なうことができる。このように、Ｉ−ＦＡＸは、種々の形態で他のＩ−ＦＡＸなどの通信端末装置とファクシミリ通信や電子メ−ルの送受信を行なっている。
【０００６】
前記Ｔ．３７の通信手順においては、電子メ−ルにより画デ−タを送受信する際の、送達確認のコマンドが規定されている。この送達確認のコマンドとして、ＭＤＮ（Ｍｅｓｓａｇｅ  Ｄｉｓｐｏｓｉｔｉｏｎ  Ｎｏｔｉｆｉｃａｔｉｏｎ）とＤＳＮ（Ｄｅｌｉｖｅｒｒｙ  Ｓｔａｔｕｓ  Ｎｏｔｉｆｉｃａｔｉｏｎ）が規定されている。
【０００７】
Ｉ−ＦＡＸから電子メ−ルで画デ−タの送信を行なう際に、原稿の内容に応じて各頁毎のオリジナル画デ−タは、解像度、用紙サイズ、デ−タ圧縮方式などのパラメ−タが相違する場合がある。例えば、原稿のある頁に写真が掲載されているため解像度が他の頁とは相違する場合や、折り込み頁の原稿で他の頁とは用紙サイズが相違する場合がある。
【０００８】
このように、オリジナル画デ−タにおけるフォ−マット情報のパラメ−タが各頁で相違する画デ−タを、受信側のＩ−ＦＡＸのような通信端末装置にフルモ−ドで送信する場合には、最初に各パラメ−タの最低の水準で形成された基本フォ−マットで画デ−タを送信する。この場合には、フォ−マット情報の各パラメ−タは例えば解像度を２００ｄｐｉ、用紙サイズをＡ４、デ−タ圧縮方式をＭＨ方式で形成する。
【０００９】
受信側では、必要があれば送信されたオリジナル画デ−タのフォ−マット情報を要求する。この際に、送信側では各頁毎にオリジナル画デ−タについてのフォ−マット情報を受信側に送信する。受信側では、受信したオリジナル画デ−タのフォ−マット情報を自機の受信能力と対比し、受信可能な範囲内の水準のパラメ−タで基本フォ−マット情報を変更した画デ−タの送信を送信側に要求する。
【００１０】
【発明が解決しようとする課題】
このように、フルモ−ドでフォ−マットが異なる複数頁の画デ−タを電子メ−ルにより送信する際に、オリジナル画デ−タについてのフォ−マット情報を各頁毎に作成しているので、処理が煩雑になるという問題があった。
【００１１】
本発明は上記のような問題に鑑み、フォ−マットが異なる原稿の複数頁のオリジナル画デ−タについて、フォ−マット情報を作成する際の処理を簡略に行なえるインタ−ネット・ファクス装置の提供を目的とするものである。
【００１２】
【課題を解決するための手段】
本発明の上記目的は、請求項１に係る発明において、インタ−ネット・ファクス装置を、原稿の各頁でフォ−マットが異なるオリジナル画デ−タについて、複数のパラメ−タからなるフォ−マット情報を形成する手段と、前記各頁のオリジナル画デ−タのフォ−マット情報を各パラメ−タの水準が低い基本フォ−マット情報に変換する手段と、前記オリジナル画デ−タについて各頁を通して最も水準が高い各パラメ−タを抽出して、変更されたオリジナル画デ−タのフォ−マット情報を形成する手段と、前記基本フォ−マット情報および変更されたオリジナル画デ−タのフォ−マット情報を受信側に送信する手段とを有する構成とすることによって達成される。
【００１３】
また、請求項２に係る発明は、請求項１に記載のインタ−ネット・ファクス装置において、前記変更されたオリジナル画デ−タのフォ−マット情報に基づいて、受信側から指定されるフォ−マット情報を受信する手段と、前記基本フォ−マット情報を受信側からの指定フォ−マット情報に変換する手段と、前記指定フォ−マット情報を受信側に送信する手段とを有することを特徴としている。
【００１４】
上記請求項１に係る発明の特徴によれば、オリジナル画デ−タについて各頁を通して最も水準が高い各パラメ−タを抽出して、変更されたオリジナル画デ−タのフォ−マット情報を形成する手段と、変更されたオリジナル画デ−タのフォ−マット情報を受信側に送信する手段とを有している。このため、原稿の各頁毎にフォ−マット情報が異なる場合においても、１頁分のフォ−マット情報でオリジナル画デ−タのフォ−マット情報を受信側に送信することができる。
【００１５】
また、請求項２に係る発明においては、受信側に送信した基本フォ−マット情報を、受信側からの指定フォ−マット情報に変換する手段と、指定フォ−マット情報を受信側に送信する手段とを有している。このため、受信側の受信能力に適合したフォ−マット情報で画デ−タを送信することができる。
【００１６】
【発明の実施の形態】
以下、本発明に係るＩ−ＦＡＸの実施の形態について図により説明する。図６は、本発明のＩ−ＦＡＸの接続例を示すブロック図である。図６において、第１のＩ−ＦＡＸ１は、第２のＩ−ＦＡＸ３およびクライアントパ−ソナルコンピュ−タ（ＰＣ）４とインタ−ネット２を介して接続されている。また、第１のＩ−ＦＡＸ１は、公衆回線網（ＰＳＴＮ）を介してＧ３ＦＡＸ６と接続されている。
【００１７】
第１のＩ−ＦＡＸ１と第２のＩ−ＦＡＸ３間では、電子メ−ルプロトコルの一つであるＳＭＴＰで直接に画デ−タをファイルに添付して電子メ−ルの送受信を行なう。また、第１のＩ−ＦＡＸ１とＰＣ４とは、インタ−ネット２を介して電子メ−ルの送受信を行なう。第１のＩ−ＦＡＸ１、第２のＩ−ＦＡＸ３、ＰＣ４において、着信した電子メ−ルの管理にはＰＯＰを使用することができる。
【００１８】
ここで、第１のＩ−ＦＡＸ１から第２のＩ−ＦＡＸ３に電子メ−ルを送信する例で本発明の構成を説明する。図１は、本発明の処理手順を示す説明図である。第１のＩ−ＦＡＸ１のメ−ルアドレスを「１２３４＠ｔｅｒｍｉｎａｌＡ．ｉｆａｘ」、第２のＩ−ＦＡＸ３のメ−ルアドレスを「５６７８＠ｔｅｒｍｉｎａｌＢ．ｉｆａｘ」とする。
【００１９】
（Ａ）は、第１のＩ−ＦＡＸ１から送信される原稿の画デ−タについて、オリジナル画デ−タのフォ−マット情報を各頁毎に示している。フォ−マット情報は複数のパラメ−タで形成されており、この例では、パラメ−タとして解像度、用紙サイズ、デ−タ圧縮方式が規定されている。
【００２０】
（１）頁目は、解像度が４００＊４００ｄｐｉ、用紙サイズがＡ４、デ−タ圧縮方式がＭＭＲ方式であることを示している。同様に、（２）頁目は、解像度が２００＊２００ｄｐｉ、用紙サイズがＡ３、デ−タ圧縮方式がＭＨ方式、（３）頁目は、解像度が２００＊１００ｄｐｉ、用紙サイズがＢ４、デ−タ圧縮方式がＪＢＩＧ方式であることを示している。
【００２１】
（Ｂ）では、（Ａ）に示した各頁のフォ−マット情報を基本フォ−マットに変換する。（Ｃ）は、各頁のフォ−マット情報を基本フォ−マットに変換した結果を示している。この例では、各頁のフォ−マット情報を、解像度は２００＊２００ｄｐｉ、用紙サイズはＡ４、デ−タ圧縮方式はＭＨ方式としている。
【００２２】
（Ｄ）は、（Ｃ）のフォ−マット情報で画デ−タをＩ−ＦＡＸ２に送信する。この際に、オリジナル画デ−タのフォ−マット情報を添付する。このオリジナル画デ−タのフォ−マット情報は、特定の頁の解像度、用紙サイズ、デ−タ圧縮方式の各パラメ−タを抽出するものではない。
【００２３】
本発明においては、各頁の中で解像度、用紙サイズ、デ−タ圧縮方式の各パラメ−タで最も水準が高いものを抽出して、（Ａ）のオリジナル画デ−タのフォ−マット情報を変更し、新たなオリジナル画デ−タのフォ−マット情報を形成している。
【００２４】
（Ｅ）では、受信側のＩ−ＦＡＸ３からフォ−マットを指定して画デ−タの再送信を要求する電子メ−ルをＩ−ＦＡＸ１が受信する。すなわち、前記（Ｄ）で送信側のＩ−ＦＡＸ１から受信側のＩ−ＦＡＸ３に、画デ−タの中で最も水準が高いパラメ−タが記述されたオリジナル画デ−タのフォ−マット情報が送信される。このため、受信側では受信可能なパラメ−タで画デ−タのフォ−マットを形成するよう送信側のＩ−ＦＡＸ１に要求することができる。
【００２５】
（Ｆ）の処理で、Ｉ−ＦＡＸ１はＩ−ＦＡＸ３から要求されたフォ−マットに画デ−タを変換する。（Ｇ）の処理で、Ｉ−ＦＡＸ１はＩ−ＦＡＸ３に指定フォ−マットの画デ−タを送信する。（Ｈ）の処理で、Ｉ−ＦＡＸ１はＩ−ＦＡＸ３から送信された送達確認を受信する。
【００２６】
図２〜図５は、図１においてＩ−ＦＡＸ１とＩ−ＦＡＸ３から送信される電子メ−ルの記述内容の例を示す説明図である。次に図２〜図５の各図について説明する。
【００２７】
図２は、図１の（Ｄ）でＩ−ＦＡＸ１からＩ−ＦＡＸ３に送信される電子メ−ルのヘッダ部分を示している。Ｘａの部分には、電子メ−ル送信の日時、送信側のＩ−ＦＡＸ１のメ−ルアドレス番号、メッセ−ジＩＤ、項目が示されている。この例では、当該電子メ−ルの内容が「インタ−ネット  ＦＡＸ  フルモ−ド  サンプル１」であることを記述している。
【００２８】
また、Ｘａの部分には、受信側のＩ−ＦＡＸ３のメ−ルアドレス番号、送信側のＩ−ＦＡＸ１に対する送達確認のコマンド、ＭＤＮ（Ｍｅｓｓａｇｅ  Ｄｉｓｐｏｓｉｔｉｏｎ  Ｎｏｔｉｆｉｃａｔｉｏｎ）、ＭＩＭＥ（Ｍｕｌｔｉｐｕｒｐｏｓｅ  Ｉｅｔｅｒｎｅｔ  Ｍａｉｌ  Ｅｘｔｅｎｔｉｏｎ）バ−ジョン、が記述される。
【００２９】
Ｙａの部分には、図１の（Ｃ）の基本フォ−マット情報が記述される。ここでは、イメ−ジファイルの構造はＴＩＦＦ（Ｔａｇｇｅｄ  Ｉｍａｚｅ  ＦｉｌｅＦｏｒｍａｔ）の最低水準であること、解像度は２００＊２００、用紙サイズはＡ４、デ−タ圧縮方式はＭＨであることが記述されている。
【００３０】
Ｚａの部分には、変更されたオリジナル画デ−タのフォ−マット情報が記述される。ここでは、イメ−ジファイルの構造はＴＩＦＦの最高水準であること、各頁の中で最高水準のパラメ−タとして解像度は４００＊４００、用紙サイズはＡ３、デ−タ圧縮方式はＪＢＩＧ方式であることが記述されている。また、Ｗａの部分には、画デ−タを基本フォ−マットで送信することが記述されている。
【００３１】
図３は、図１の（Ｅ）でＩ−ＦＡＸ１が受信したＩ−ＦＡＸ３からの電子メ−ルのヘッダ部分を示している。Ｘｂの部分には、電子メ−ル受信の日時、送信したＩ−ＦＡＸ３のメ−ルアドレス番号、メッセ−ジＩＤ、項目が示されている。この例では、当該電子メ−ルの内容が「インタ−ネット  ＦＡＸ  フルモ−ド  サンプル１への返信」であることを記述している。また、Ｘｂの部分には、受信したＩ−ＦＡＸ１のメ−ルアドレス番号、ＭＩＭＥバ−ジョン、が記述される。
【００３２】
Ｙｂの部分には、画デ−タの受信能力が記述される。ここでは、イメ−ジファイルの構造はＴＩＦＦであること、解像度は、２００＊１００、２００＊２００、４００＊４００、用紙サイズはＡ４、Ｂ４、デ−タ圧縮方式は、ＭＨ、ＭＲ、ＭＭＨ、ＪＢＩＧ各方式にそれぞれ対応できることが記述されている。
【００３３】
図４は、図１の（Ｇ）でＩ−ＦＡＸ１からＩ−ＦＡＸ３に再送信される電子メ−ルのヘッダ部分を示している。Ｘｃの部分には、電子メ−ル送信の日時、送信側のＩ−ＦＡＸ１のメ−ルアドレス番号、メッセ−ジＩＤ、項目が示されている。この例では、当該電子メ−ルの内容が「インタ−ネット  ＦＡＸ  フルモ−ドサンプル２」であることを記述している。また、Ｘｃの部分には、受信側のＩ−ＦＡＸ３のメ−ルアドレス番号、送信側のＩ−ＦＡＸ１に対する送達確認のコマンドはＭＤＮであることが記述される。
【００３４】
Ｗｃの部分には、画デ−タを前記基本フォ−マットから、受信側のＩ−ＦＡＸ３で指定されたフォ−マットに変換して送信することが記述されている。この例では、図１（Ａ）のオリジナル画デ−タのフォ−マット情報の中で、（１）頁目と（３）頁目は、受信側のＩ−ＦＡＸ３の受信能力範囲内である。したがって、（１）頁目と（３）頁目の電子メ−ルは、基本フォ−マット情報から図１（Ａ）のオリジナルのフォ−マットに変更されることはない。
【００３５】
図１（Ａ）のオリジナル画デ−タのフォ−マット情報の中で、（２）頁目については用紙サイズがＡ３となっている。しかしながら、受信側のＩ−ＦＡＸ３の受信能力は、用紙サイズはＡ４、Ｂ４となっておりＡ３の受信能力を備えていない。このため、（２）頁目については用紙サイズはＢ４に縮小される。
【００３６】
図５は、図１の（Ｈ）でＩ−ＦＡＸ１がＩ−ＦＡＸ３から受信する送達確認の電子メ−ルのヘッダ部分を示している。Ｘｄの部分は、電子メ−ル受信の日時、送信したＩ−ＦＡＸ３のメ−ルアドレス番号、メッセ−ジＩＤ、項目が示されている。
【００３７】
この例では、項目の欄には当該電子メ−ルの内容が「インタ−ネット  ＦＡＸフルモ−ド  サンプル２への返信」であることを記述している。また、Ｘｄの部分には、受信したＩ−ＦＡＸ１のメ−ルアドレス番号、ＭＩＭＥバ−ジョン、が記述される。
【００３８】
Ｙｄの部分には、受信した画デ−タの内容が記述される。ここでは、イメ−ジファイルの構造はＴＩＦＦであること、解像度は、２００＊１００、２００＊２００、４００＊４００、用紙サイズはＡ４、Ｂ４、デ−タ圧縮方式は、ＭＨ、ＭＭＨ、ＪＢＩＧ各方式であることが記述されている。
【００３９】
すなわち、図１の（Ａ）に示されたオリジナル画デ−タのフォ−マット情報の中で、（２）頁目の用紙サイズをＢ４に縮小して、前記（Ｇ）で再送信されたフォ−マット情報で電子メ−ルを受信したことを記述している。
【００４０】
図７は、本発明に適用されるＩ−ＦＡＸの一例を示す概略のブロック図である。図７において、２１は各種信号やデ−タを処理するための超小型演算処理装置（以下、ＭＰＵと略記する）、２２はＩ−ＦＡＸの各種動作に必要なデ−タやプログラム格納されるＲＯＭ、２３は管理デ−タ等が格納されるＲＡＭである。
【００４１】
２４は受信した画デ−タを記録紙に出力するプリンタ、２５は原稿を読み取り、白黒２値のイメ−ジデ−タである画デ−タを出力する読取部、２６は各種操作キ−を設けた操作部である。操作部２６には、テンキ−や機能キ−が設けられている。また、ファクシミリ送信の際の送信キ−や、ワンタッチキ−などが設けられている。
【００４２】
Ｉ−ＦＡＸは、ネットワ−クインタ−フェイス（Ｉ／Ｆ）２７を介してインタ−ネット２に接続される。また、サ−ビス総合デジタル網（ＩＳＤＮ）のインタ−フェイス（Ｉ／Ｆ）２８、デジタル回線終端装置（ＤＳＵ）２９を介してＩＳＤＮに接続される。
【００４３】
また、回線制御部（ＮＣＵ）３０を介してＰＳＴＮに接続される。３１はＰＳＴＮを介して相手先のＧ３ＦＡＸ等の通信端末装置との間で送受信される画デ−タを変調．復調するモデムであり、モデム３１とＮＣＵ３０とはアナログ信号線３１ａで接続される。
【００４４】
符号・復号部３２は、画デ−タを符号化し、復号する。図形文字発生部３３は、文字コ−ドデ−タをイメ−ジデ−タに変換する。３４は液晶表示器（ＬＣＤ）を用いた表示部、３５は画デ−タに日時を記入するために用いる時計部、３６は通信管理記録と画デ−タを記憶するハ−ドディスク（ＨＤ）、３７は内部バスである。なお、記憶容量をそれほど必要としない場合には、ハ−ドディスク（ＨＤ）を使用することに代えて画像メモリを用いる構成とすることができる。
【００４５】
ＭＰＵ２１は、図１（Ａ）の原稿の各頁で異なるオリジナル画デ−タについて、複数のパラメ−タからなるフォ−マット情報を形成する手段、（Ｂ）の各頁のオリジナル画デ−タのフォ−マット情報を各パラメ−タの水準が低い基本フォ−マット情報に変換する手段、として機能する。
【００４６】
また、ＭＰＵ２１は、図１（Ｄ）で送信する電子メ−ルに記述されるオリジナル画デ−タについて各頁を通して最も水準が高い各パラメ−タを抽出して、変更されたオリジナル画デ−タのフォ−マット情報を形成する手段、（Ｆ）の基本フォ−マット情報を受信側からの指定フォ−マット情報に変換する手段、として機能する。
【００４７】
また、ネットワ−クインタ−フェイス（Ｉ／Ｆ）２７は、図１（Ｄ）の基本フォ−マット情報および変更されたオリジナル画デ−タのフォ−マット情報を受信側に送信する手段、（Ｅ）の変更されたオリジナル画デ−タのフォ−マット情報に基づいて、受信側から指定されるフォ−マット情報を受信する手段、として機能する。
【００４８】
【発明の効果】
以上詳述したように請求項１に係る発明によれば、オリジナル画デ−タについて各頁を通して最も水準が高い各パラメ−タを抽出して、変更されたオリジナル画デ−タのフォ−マット情報を形成する手段と、変更されたオリジナル画デ−タのフォ−マット情報を受信側に送信する手段とを有している。このため、原稿の各頁毎にフォ−マット情報が異なる場合においても、１頁分のフォ−マット情報でオリジナル画デ−タのフォ−マット情報を受信側に送信することができる。
【００４９】
また、請求項２に係る発明においては、受信側に送信した基本フォ−マット情報を、受信側からの指定フォ−マット情報に変換する手段と、指定フォ−マット情報を受信側に送信する手段とを有している。このため、受信側の受信能力に適合したフォ−マット情報で画デ−タを送信することができる。
【図面の簡単な説明】
【図１】本発明の処理手順を示す説明図である。
【図２】例を示す説明図である。
【図３】の例を示す説明図である。
【図４】の例を示す説明図である。
【図５】の例を示す説明図である。
【図６】本発明の実施の形態に係るＩ−ＦＡＸを接続した例を示すブロック図である。
【図７】Ｉ−ＦＡＸの制御装置を示すブロック図である。
【符号の説明】
１、３    Ｉ−ＦＡＸ
２    インタ−ネット
４    パ−ソナルコンピュ−タ（ＰＣ）
５    公衆回線（ＰＳＴＮ）
６    Ｇ３ＦＡＸ
２１    超小型演算処理装置（ＭＰＵ）
２３    ＲＡＭ
２６    操作部
２７    ネットワ−クインタ−フェイス（Ｉ／Ｆ）
【図１】
0003606236.tif 000002
【図２】
0003606236.tif 000003
【図３】
0003606236.tif 000004
【図４】
0003606236.tif 000005
【図５】
0003606236.tif 000006
【図６】
0003606236.tif 000007
【図７】
0003606236.tif 000008